(57)【特許請求の範囲】
【請求項１】
自転車の後輪側に配置される自転車用ベビーカー載せ台であって、前記自転車用ベビーカー載せ台は平面視で前方側が解放され後方側が連結されているコの字形状に形成され、ベビーカーの左右の前輪及び後輪を内部の幅方向両側に載置する箱体で、前記箱体の前方及び中央には自転車の後輪側に略水平に取付けるための取付構造を備え、前記箱体の前側の幅方向中央部から後方に向かって自転車のシートステーと後輪を収める収容凹部が形成され、前記箱体の後部に左右一対の脚の上端部が連結バーで連結された自転車用の両脚スタンドが設置されることを特徴とする自転車用ベビーカー載せ台。
【発明の詳細な説明】
【技術分野】
【０００１】
本発明は、自転車用ベビーカー載せ台に関する。
【背景技術】
【０００２】
従来、子供を連れて目的地まで自転車で移動する際には、幼児を自転車に同乗させるために用いる自転車用幼児座席を自転車の荷台等に設置し、自転車用幼児座席に子供を乗せて移動していた。ところが、目的地で自転車の通行が制限されている場合は、目的地で貸出用のベビーカーがあればそれを使用できるが、貸出用のベビーカーがない場合は、子供を抱きかかえて歩いたり、子供を歩かせたりしていた。
【０００３】
この問題を解決するための手段としては、自転車の後部に装着する一対のブラケットを自転車用幼児座席の左右の足置き部の間を通して座席部の底部まで配設し、ブラケットと座席部の底部を着脱自在に係止する係止構造を備えた自転車用幼児座席として、自転車から取り外した時にベビーカーとしての機能を持つ自転車に取り付けられるベビーカー（特許文献１参照）や、ベビーカーの座席部の底部の前後と自転車の荷台の前後を着脱自在に係止するための係止構造を備えたベビーカーとして、自転車搭載用ベビーカー（特許文献２参照）などが知られている。また、特許文献２の自転車搭載用ベビーカーに類似する先行技術としては、自転車の後輪ハブ軸近傍から前方に延びる傾斜した車輪ステップの前部の凹部にショッピングカートの前輪を載置し、ショッピングカートの前後と自転車の荷台の前後を着脱自在に係止する係止構造を備えたショッピングカートと、大型バスケットを装着出来る自転車（特許文献３参照）がある。
【先行技術文献】
【特許文献】
【０００４】
【特許文献１】米国特許和文抄録５３８３５８５号
【特許文献２】特開２００４−３０６９２５号公報
【特許文献３】特開２００８−２６０５０５号公報
【発明の概要】
【発明が解決しようとする課題】
【０００５】
しかし、特許文献１に記載の自転車に取り付けられるベビーカーは、左右のブラケットの間隔が座席部の底部の幅より狭いため、ベビーカーに乗った子供が左右に大きく動いた場合は、ブラケットが揺れ動いてベビーカーが不安定な状態になるという問題があった。また、特許文献２に記載の自転車搭載用ベビーカーについても、自転車の荷台の左右の幅がベビーカーの座席部の底部の幅より狭いため、ベビーカーに乗った子供が左右に大きく動いた場合は、自転車の荷台が揺れ動いてベビーカーが不安定な状態になるという問題があった。
【０００６】
さらに、特許文献３に記載のショッピングカートと、大型バスケットを装着出来る自転車を、ベビーカーを装着出来る自転車に転用した場合については、傾斜した車輪ステップの前部の凹部にベビーカーの左右の前輪を載置し、ベビーカーの座席部の底部の前後と自転車の荷台の前後を係止することとなるが、自転車の荷台の左右の幅がベビーカーの座席部の底部の幅より狭いため、ベビーカーに乗った子供が左右に大きく動いた場合は、ベビーカーの左右の前輪を載置した車輪ステップと自転車の荷台が揺れ動いてベビーカーが不安定な状態になるという問題が発生する。
【０００７】
本発明は、ベビーカーに乗った子供が左右に大きく動いた場合でも、子供を乗せたベビーカーを自転車に安定した状態で載せることができる自転車用ベビーカー載せ台を提供することにある。
【課題を解決するための手段】
【０００８】
上記課題を解決するための手段として、本発明の自転車用ベビーカー載せ台は、自転車の後輪側に配置される自転車用ベビーカー載せ台であって、自転車用ベビーカー載せ台は平面視で前方側が解放され後方側が連結されているコの字形状に形成され、ベビーカーの左右の前輪及び後輪を内部の幅方向両側に載置する箱体で、箱体の前方及び中央には自転車の後輪側に略水平に取付けるための取付構造を備え、箱体の前側の幅方向中央部から後方に向かって自転車のシートステーと後輪を収める収容凹部が形成され、箱体の後部に左右一対の脚の上端部が連結バーで連結された自転車用の両脚スタンドが設置される。
【発明の効果】
【００１３】
本発明によれば、ベビーカーに乗った子供が左右に大きく動いた場合でも、子供を乗せたベビーカーを自転車に安定した状態で載せることができる。
【図面の簡単な説明】
【００１４】
【図１】本発明の一実施形態としての自転車用ベビーカー載せ台を示す斜視図である。
【図２】図１の自転車用ベビーカー載せ台を、泥除けと荷台が取付けられていない後輪を小径に構成した低床自転車の後輪側に配置し、ベビーカーを載せた状態の一部破断側面図である。
【図３】図１の自転車用ベビーカー載せ台に、蓋部と後輪カバーを備えた状態を示す参考図である。
【図４】図３の自転車用ベビーカー載せ台のＡ‐Ａ線断面図である。
【発明を実施するための形態】
【００１５】
以下、本発明の一実施形態を、図１から４に基づいて説明する。
図１は、自転車用ベビーカー載せ台を示す斜視図である。自転車用ベビーカー載せ台は、平面視で前方側が解放され後方側が連結されているコの字形状に形成された箱体１の前側の幅方向中央部から後方に向かって自転車のシートステー１２と後輪１３を収める収容凹部２が形成され、箱体１には自転車の後輪側に略水平に取付けるための取付構造として底面部３及び側壁部４の前方及び中央に取付ボルト挿通孔５が形成される。ベビーカーの左右の前輪及び後輪又は車輪近傍の脚を固定するための固定構造として、箱体１の前側及び後側の側壁部４に並列する一対の固定ベルト挿通長孔６がそれぞれ形成され、並列する一対の固定ベルト挿通長孔６に固定ベルト７の両端を挿通し、固定ベルト７の先端付近に一対のバックル８が装着される。箱体１の底面部３の後方には、左右一対の脚９の上端部が連結バー１０で連結された自転車用の両脚スタンド１１が設置される。
【００１６】
図２は、図１の自転車用ベビーカー載せ台を、泥除けと荷台が取付けられていない後輪を小径に構成した低床自転車の後輪側に配置し、ベビーカーを載せた状態の一部破断側面図である。自転車用ベーカー載せ台は、自転車のシートステー１２及び後輪１３を箱体１の収容凹部２に収め、箱体１の底面部３及び側壁部４の前方及び中央に形成される取付ボルト挿通孔５に取付ボルトを挿通して、自転車のチェーンステー１４及び後輪ハブ軸１５に取付けられる取付金具１６に固定される。ベビーカーは、箱体１の底面部３の後方に左右一対の脚９の上端部が連結バー１０で連結された自転車用の両脚スタンド１１を立て、箱体１の底面部３にベビーカーの左右の前輪及び後輪を載置し、ベビーカーの左右の前輪及び後輪は、側壁部４に形成された並列する一対の固定ベルト挿通長孔６に挿通した固定ベルト７を、ベビーカーの車輪と車輪近傍の脚との間に通して、固定ベルト７の先端付近に装着された雄雌一対のバックル８を連結して固定する。自転車用の両脚スタンド１１は、自転車が走行する際には矢印方向に仮想線の位置まで収納される。
【００１７】
図３は、図１の自転車用ベビーカー載せ台に、蓋部１７と後輪カバー１９を備えた状態を示す参考図である。蓋部１７は収容凹部２の前方に備えられ、自転車のシートステー１２を挿通するスリット１８が形成されている。後輪カバー１９は収容凹部２の後方に備えられ、自転車の後輪１３の上方を収める。また、図４は、図３の自転車用ベビーカー載せ台のＡ‐Ａ線断面図である。
【００１８】
本実施形態によれば、自転車用ベビーカー載せ台は堅牢な構造のため、自転車が走行中にベビーカーに乗った子供が左右に大きく動いた場合でも、箱体１が揺れ動いて子供を乗せたベビーカーが不安定な状態になることがなく、子供を乗せたベビーカーを自転車に安定した状態で載せて目的地まで移動することができる。自転車が停車中に子供を乗せたベビーカーを載せ降りする際には、箱体１の底面部３の後方の自転車用の両脚スタンド１１を立てることにより、ベビーカーに乗った子供が前後左右に大きく動いた場合でも、ベビーカーを安定した状態で載せ降りすることができる。また、ベビーカーの座席部の底部又は底部の前後に自転車に係止するための係止構造を備える必要がないため、係止構造を備えることによるベビーカーの安定性や操作性の悪化や、係止構造を構成する部品が外れた場合等に子供が誤飲する可能性を回避することができる。さらに、子供の月齢が生後１か月又は腰が据わる６か月から１２か月の乳児の場合には、自転車用幼児座席のＳＧ基準を適用する場合に乳児を自転車用幼児座席に乗せることはできないが、本実施形態によればベビーカーに乗せた乳児を自転車に載せて目的地まで移動することができる。
【符号の説明】
【００１９】
１  箱体
２  収容凹側
３  底面部
４  側壁部
５  取付ボルト挿通孔
６  固定ベルト挿通長孔
７  固定ベルト
８  バックル
９  脚
１０  連結バー
１１  両脚スタンド
１２  シートステー
１３  後輪
１４  チェーンステー
１５  後輪ハブ軸
１６  取付金具
１７  蓋部
１８  スリット
１９  後輪カバー
【要約】
【課題】本発明は、ベビーカーに乗った子供が左右に大きく動いた場合でも、子供を乗せたベビーカーを自転車に安定した状態で載せることができる自転車用ベビーカー載せ台を提供することにある。
【解決手段】自転車用ベビーカー載せ台は、自転車の後輪側に配置され、ベビーカーの左右の前輪及び後輪を内部の幅方向両側に載置する箱体１で、箱体１には自転車の後輪側に取付けるための取付構造を備え、箱体１の前側の幅方向中央部から後方に向かって自転車のシートステー１２と後輪１３を収める収容凹部２が形成されている。
【選択図】図１【図１】
0005775236.tif 000002
【図２】
0005775236.tif 000003
【図３】
0005775236.tif 000004
【図４】
0005775236.tif 000005